(57)【要約】【課題】フロントバルクヘッドより車体前側に吸気口が位置するように設けられた吸気ダクトにおいて、車体前部の軽衝突時に吸気ダクトの破損による他の部品の損傷を防止する。【解決手段】フロントバルクヘッド１１にラジエータ１２及び空調装置のコンデンサ１３が取り付けられ、吸気ダクト２３の前側ダクト２３ｂをフロントバルクヘッドの上側クロス部材１１ａより前方に突出させる。前側ダクトを、上側クロス部材に固定された硬質樹脂材からなる下側分割体２５と、柔らかな軟質樹脂材からなる上側分割体２４とにより構成し、下側分割体の上側クロス部材近傍に周方向に延在する周方向溝３２を設ける。エンジンルーム内の熱気を吸入空気としてエンジンに導入することなく、車両前側の軽衝突時に高強度部材の下側分割体を周方向溝の破断により容易に折り曲げることができ、飛び散った破片によりコンデンサ等を損傷してしまうことを防止し得る。【選択図】図２
2015200235.tif 000002
【特許請求の範囲】
【請求項１】
車体の前部に設けられたエンジンルームに配置され、吸入空気を内燃機関に導入する吸気装置であって、
前記エンジンルームの前部に設けられたフロントバルクヘッドの上方を通過して当該フロントバルクヘッドよりも前方に突出するように設けられた吸気ダクトを有し、
前記吸気ダクトにおける前記フロントバルクヘッドの前端近傍に脆弱部が設けられていることを特徴とする吸気装置。
【請求項２】
前記吸気ダクトは、前記フロントバルクヘッドの上方から前方に斜め下方に突出していることを特徴とする請求項１に記載の吸気装置。
【請求項３】
前記吸気ダクトにおける前記フロントバルクヘッドよりも前方に突出する突出部分は、突出方向に沿う面で上下に分割された上側分割体および下側分割体を有し、
前記上側分割体は、軟質材により形成され、
前記下側分割体は、硬質樹脂材により形成され、
前記脆弱部が、前記下側分割体に設けられていることを特徴とする請求項１または請求項２に記載の吸気装置。
【請求項４】
前記上側分割体は、前記下側分割体よりも前方に突出し、吸気口を形成するダクト前端部を有し、
前記ダクト前端部は、フロントグリルに固定された部材の上に載置されていることを特徴とする請求項３に記載の吸気装置。
【請求項５】
前記脆弱部は、前記下側分割体の外周面の周方向に延在する溝を含むことを特徴とする請求項３または請求項４に記載の吸気装置。
【発明の詳細な説明】
【技術分野】
【０００１】
本発明は、自動車用エンジンの吸気装置に関し、特に前方衝突時の衝突相手に対する衝撃力を緩和し得る吸気装置に関するものである。
【背景技術】
【０００２】
自動車用エンジンの吸気装置において、エンジンにより暖められたエンジンルーム内の熱気を取り込まないようにするために、エンジンルーム内の車体前側部分にフロントバルクヘッドによって支持されるラジエータよりも車体前側に吸気口が位置するように設けられているものがある。
【０００３】
一方、自動車と歩行者とが衝突した際の歩行者に対する衝撃力を緩和するために、衝突時における衝撃吸収構造を設けることが要望されている。そのような衝撃吸収構造として、例えば車体の前後方向に延在する吸気ダクトを、車体前後方向に延在する接合ラインにより接合した分割パーツにより構成し、吸気ダクトの車体後方端部に相対するように楔型の剛体をボディ側に設け、衝突時の吸気ダクトの車体後方への相対変位により吸気ダクトの車体後方端部が楔型の剛体に衝当し、吸気ダクトを拡開させて破壊することにより、衝突時のクラッシュストロークを確保して衝突安全性の向上を図るものがあった（例えば特許文献１参照）。
【先行技術文献】
【特許文献】
【０００４】
【特許文献１】特開２００５−２９９４４３号公報
【発明の概要】
【発明が解決しようとする課題】
【０００５】
しかしながら、上記特許文献１のものでは、吸気ダクトの破壊された分割パーツが他の部品に衝当すると、その部品を破損する虞がある。例えばラジエータや空調装置のコンデンサが損傷を受けると、フロントバンパやフロントグリルの修理の他にこれらの部品を交換する必要も生じ、修理代が増大するという問題が生じる。
【０００６】
また、上記特許文献１のものでは、吸気ダクトを破壊するための専用の部品（上記楔型の剛体）が必要になるため、部品コストの高騰化や、重量増になるという問題があった。
【０００７】
本発明は、以上の背景に鑑み、フロントバルクヘッドよりも車体前側に吸気口が位置するように設けられた吸気装置において、車体前部の軽衝突時に吸気ダクトの破損により他の部品を損傷してしまうことを防止することを課題とする。
【課題を解決するための手段】
【０００８】
上記課題を解決するために、本発明は、車体（１）の前部に設けられたエンジンルーム（２）に配置され、吸入空気を内燃機関（３）に導入する吸気装置であって、前記エンジンルームの前部に設けられたフロントバルクヘッド（１１）の上方を通過して当該フロントバルクヘッドよりも前方に突出するように設けられた吸気ダクト（２３）を有し、前記吸気ダクトにおける前記フロントバルクヘッドの前端近傍に脆弱部（３２）が設けられていることを特徴とする。
【０００９】
この構成によれば、吸気ダクトを、エンジンルームの前部に設けられたフロントバルクヘッドより前方に突出させることにより、エンジンルーム内の熱気を避けた吸入空気を内燃機関に導入することができる。その吸気ダクトにおけるフロントバルクヘッドの前端近傍に脆弱部が設けられていることから、車両前側の軽衝突時に、フロントバンパやフロントグリルが変形し、フロントバルクヘッドより前方に突出する吸気ダクトの突出部分に衝突荷重が加わった場合に、フロントバルクヘッドの前端近傍で吸気ダクトの突出部分が折れ曲がるようになることから、吸気ダクトを破壊する構造においてその破壊された部品がラジエータや空調装置のコンデンサ等のフロントバルクヘッドに支持された部品に衝当するということがなく、軽衝突時の部品交換点数を少なくすることができる。
【００１０】
また、上記の発明において、前記吸気ダクト（２３）は、前記フロントバルクヘッドの上方から前方に斜め下方に突出しているとよい。
【００１１】
この構成によれば、車両前側の衝突時に前側から加わる荷重により吸気ダクトの前方突出部分を確実に車体下方に折り曲げることができ、衝突時における吸気ダクトの挙動を把握でき、対策が容易になる。
【００１２】
また、前記吸気ダクトにおける前記フロントバルクヘッドよりも前方に突出する突出部分（２３ｂ）は、突出方向に沿う面で上下に分割された上側分割体（２４）および下側分割体（２５）を有し、前記上側分割体は、軟質材により形成され、前記下側分割体は、硬質樹脂材により形成され、前記脆弱部が、前記下側分割体に設けられているとよい。
【００１３】
この構成によれば、吸気ダクトの突出部分における下側を構成する下側分割体に脆弱部が設けられていることから、車両前側の衝突時に吸気ダクトの突出部分が下向きに折れ曲がるようになり、それにより軟質材からなる上側分割体が車体前側に位置し、軽衝突時に車体前側（斜め上方）から荷重が加わった場合に、軟質材からなる上側分割体の変形により衝撃を吸収することができ、衝撃吸収を好適に行うことができる。また、フロントバルクヘッドより前方に突出することにより長尺に形成された吸気ダクトの形状を維持する保形性を硬質樹脂材からなる下側分割体により確保することができる。
【００１４】
また、前記上側分割体は、前記下側分割体よりも前方に突出し、吸気口を形成するダクト前端部（２４ａ）を有し、前記ダクト前端部は、フロントグリルに固定された部材（２６）の上に載置されているとよい。
【００１５】
この構成によれば、上側分割体の突出端部に吸気口を形成するダクト前端部を設けることにより、軟質材の形状追従性により、フロントグリルに固定された部材の上にダクト前端部を載置するのみで、上側分割体の突出部分の密閉性を確保できる。さらに、ファスナやねじ止めをしなくても軟質材の密着性により固定状態が保持されるため、固定構造を簡略化し得ることから、ねじ止め作業がし難いフロントグリルに近接した位置に吸気口を配置することができ、エンジンルームの熱気の吸入をより一層抑制し得る。
【００１６】
また、前記脆弱部は、前記下側分割体の外周面の周方向に延在する溝（３２・３３）を含むとよい。
【００１７】
この構成によれば、車体前側の衝突時に下側分割体を下方に折り曲げ易くする構造を容易に実現することができる。
【発明の効果】
【００１８】
このように本発明によれば、吸気ダクトにおけるフロントバルクヘッドの前端近傍に脆弱部が設けられていることから、車両前側の軽衝突時に、フロントバンパやフロントグリルが変形し、フロントバルクヘッドより前方に突出する吸気ダクトの突出部分に衝突荷重が加わった場合に、フロントバルクヘッドの前端近傍で吸気ダクトの突出部分が折れ曲がるようになることから、吸気ダクトを破壊する構造においてその破壊された部品がラジエータや空調装置のコンデンサ等のフロントバルクヘッドに支持された部品に衝当するということがなく、軽衝突時の部品交換点数を少なくすることができる。
【図面の簡単な説明】
【００１９】
【図１】本発明が適用された自動車の前部のエンジンルームを、エンジンフードを取り除いて示す斜視図
【図２】図１のII−II線に沿う断面を矢印方向に見た要部断面図
【図３】吸気ダクトにおける前側ダクトの分解組立側面図
【図４】（ａ）は図１のIVａ−IVａ線に沿う断面を矢印方向に見た断面図、（ｂ）は図３のIVｂ−IVｂ線に沿う断面を矢印方向に見た断面図
【図５】吸気ダクトを車両の斜め前方から見た斜視図
【図６】吸気ダクトを車両の斜め後方から見た斜視図
【図７】前方軽衝突による吸気ダクトの折れ曲がり状態を示す側面図
【図８】脆弱部の他の例を示す図４（ｂ）に対応する図
【発明を実施するための形態】
【００２０】
以下、本発明の実施の形態を、図面を参照しながら説明する。
【００２１】
図１は、本発明が適用された自動車の前部のエンジンルームを、エンジンフードを取り除いて示す斜視図である。なお、以下の説明において前後・左右・上下を用いる場合には、車体１における図の矢印にて示される方向とする。
【００２２】
図１に示されるように、車体１の前部に設けられたエンジンルーム２内には内燃機関としてのエンジン３が横置きに搭載されている。車体１の前部には、バンパフェイス４と、フロントグリル５と、左右のヘッドライト６とが配設されている。バンパフェイス４とフロントグリル５とは、合成樹脂製であり、互いの合わせ面の適所に設けられたファスナ等により一体的に結合されている。なお、バンパフェイス４は、車体フレーム（図示省略）にエクステンション（図示省略）を介して結合されたバンパビーム（図示省略）により支持され、フロントグリル５もバンパビームにより支持されていてよく、また、ヘッドライト６は車体１に固定されている。
【００２３】
図２は、図１のII−II線に沿う断面を矢印方向に見た要部断面図である。なお、図における二点鎖線はエンジンフード７を示している。図２に示されるように、エンジンルーム２における車体１の前部には、フロントバルクヘッド１１が設けられている。フロントバルクヘッド１１は、例えば鋼板を凹状にプレス加工した部材を接合し、強度に応じて矩形閉断面形状に形成した部材を組み合わせて、車体１の前方視で矩形状の枠部分を有する形状に形成されている。なお、フロントバルクヘッド１１の枠部分の左右側（車体幅方向両側）で上下方向に延在する左右のサイド部材（図示省略）が左右のフロントサイドフレーム（図示省略）と結合されて、車体フレームによりフロントバルクヘッド１１が支持される。
【００２４】
フロントバルクヘッド１１の枠部分の内側には、ラジエータ１２と、空調装置のコンデンサ１３とが配設されている。フロントバルクヘッド１１の枠部分にラジエータ１２及びコンデンサ１３の各外周部の適所が固定されており、フロントバルクヘッド１１における前側にコンデンサ１３が配置され、後側にラジエータ１２が配置され、ラジエータ１２の後面にはラジエータファン１４が取り付けられている。
【００２５】
フロントバルクヘッド１１の枠部分の上部を形成する上側クロス部材１１ａは、下側に開放されたコ字状断面形状のプレス鋼板により形成されており、上側クロス部材１１ａの車両前後方向の幅内にラジエータ１２及びコンデンサ１３が収まるようにされている。これにより、車体１の前方衝突時に、フロントバルクヘッド１１の前方に配設されている部材がフロントバルクヘッド１１に衝当し、その衝撃力がフロントバルクヘッド１１を変形させる程ではない場合には、ラジエータ１２及びコンデンサ１３の損傷を防止することができる。
【００２６】
次に、図１及び図２を参照し、本発明が適用された吸気装置の概略を説明する。エンジン３に取り付けられた吸気マニホールド２１の上流側には吸気集合管２２が設けられており、吸気集合管２２には、エアクリーナ２０を介して車両前方に延出された吸気ダクト２３が結合されている。吸気ダクト２３は、エアクリーナ２０、上記吸気集合管２２及び吸気マニホールド２１を介してエンジン３に吸入空気を導入するためのものであり、エンジンルーム２内の熱気を取り入れないように、吸入空気を取り入れる吸気口２３ａを車体１の前面側となるフロントグリル５の近傍に位置させている。このようにして、吸気口２３ａから取り入れた吸入空気をエンジン３に導入する吸気装置が構成されている。
【００２７】
エンジンルーム２内で、吸気集合管２２はフロントバルクヘッド１１の上側クロス部材１１ａより下方に位置しており、吸気ダクト２３は、上側クロス部材１１ａの上方を乗り越えるようにして前側へ延出している。なお、図示例の吸気ダクト２３は、上側クロス部材１１ａからフロントグリル５側に突出する前側ダクト２３ｂと、上側クロス部材１１ａからエアクリーナ２０との結合部に至る後側ダクト２３ｃとを連結して形成されている。この前側ダクト２３ｂが、フロントバルクヘッド１１より前方に突出する突出部分を構成する。
【００２８】
図３及び図４に示されるように、前側ダクト２３ｂは、車体１の上下方向に分割可能な上側分割体２４と下側分割体２５とを重ね合わせることにより形成される。上側分割体２４は下方に向けて開放された凹状断面形状を有し、下側分割体２５は、上側分割体２４に対向するように上側に向けて開放された凹状断面形状を有し、互いに重ね合わされることにより凹状断面同士による略矩形閉断面形状の吸気導入路が形成される。
【００２９】
下側分割体２５は硬質樹脂材として例えばＰＰ材により形成され、上側分割体２４は、軟質材として例えば熱可塑性エラストマにより形成されるとよい。なお、上側分割体２４及び下側分割体２５の材質として合成樹脂材が好適であるが、合成樹脂材の種類は上記例に限定されるものではなく、下側分割体２５は保形性の高い硬質樹脂材であるとよく、上側分割体２４は、走行時の振動等では変形しないが、外力により変形容易な柔らかい軟質樹脂材であるとよい。
【００３０】
下側分割体２５は、上側クロス部材１１ａ側で略矩形閉断面形状に形成された胴部２５ａと、胴部２５ａの下半部と連続する凹状面形状を有しかつ車体１の前側に延出された下側延出部２５ｂとを有する。胴部２５ａの左右両側の下部には、胴部２５ａの左右両側に延出する一対のリブの延出端間に形成された板状の固定板部２５ｃが左右一対設けられている。固定板部２５ｃ及び上側クロス部材１１ａにはそれぞれクリップ挿通孔が設けられており、クリップ挿通孔に挿通されたクリップ３１により胴部２５ａが上側クロス部材１１ａの上面に固定される（図２・図４参照）。下側延出部２５ｂは、上述したように胴部２５ａの下半部と連続する凹状断面形状を有し（図４参照）、胴部２５ａが上側クロス部材１１ａの上面に固定された状態で、上側クロス部材１１ａから車体１の前方へ斜め下方に向けて延出するようにされている（図２参照）。
【００３１】
上側分割体２４は、下側延出部２５ｂの前方に延出するように形成されたダクト前端部２４ａと、ダクト前端部２４ａから後方に向けて延出されかつ下側延出部２５ｂに上側から重ね合わせられる上側延出部２４ｂとを有する。上側延出部２４ｂは、下側延出部２５ｂの凹状に対向する凹状断面形状を有し、下側延出部２５ｂとの間に吸入空気の導入路を形成すると共に、下側分割体２５の胴部２５ａの上半部に接合される。なお、上側分割体２４と下側分割体２５との結合は合成樹脂材同士を組み付ける場合の公知の構造であってよい。図示例では、下側延出部２５ｂの左右の側壁に設けられた係合突片を、上側延出部２４ｂの左右の側壁に設けられた係合凹部に弾性復元力により係合させる構造である。
【００３２】
図５及び図６に示されるように、上側分割体２４には、上側延出部２４ｂにおけるダクト前端部２４ａの近傍部分に、右側方に延出する一対のリブの延出端間に形成された板状の固定板部２４ｃが設けられている。固定板部２４ｃは、一対の固定板部２５ｃから前側ダクト２３ｂの軸線方向に離間し、かつ一対の固定板部２５ｃの固定面に直交する固定面を有する。また、フロントグリル５の後面には、例えばクリップやタッピングビスで結合された軟質合成樹脂（例えばＴＰＯ）製の導風ダクト２６が固定されており、導風ダクト２６に一体に形成された支持片２６ａが、前側ダクト２３ｂの右側方にて壁状に設けられている。上記固定板部２５ｃと同様に、固定板部２４ｃ及び支持片２６ａにはそれぞれクリップ挿通孔が設けられており、クリップ挿通孔に挿通されたクリップ３１により上側分割体２４が支持片２６ａに固定される。なお、導風ダクト２６は、フロントグリル５から入り込む新気をラジエータ１２（コンデンサ１３）に向けてガイドするように、新気の流路部分の上側にて流れ方向に延在する部分を有し、それによりさらに、エンジンルーム２内の熱気がエンジンフード７側からフロントグリル５へ回り込んで新気に混入することも防止される。このようにして設けられた導風ダクト２６により、ラジエータ１２（コンデンサ１３）の冷却効率を効果的に向上することができる。
【００３３】
このようにして、互いに一体的に結合された上側分割体２４及び下側分割体２５からなる前側ダクト２３ｂが車体１に固定される。また、下側分割体２５が硬質樹脂材からなることから、車両前方へ長く延出された前側ダクト２３ｂの全体の強度を確保し得る。
【００３４】
ダクト前端部２４ａは導風ダクト２６における新気の流れをガイドする部分の上面に載置される。前側ダクト２３ｂは、車両後部側となる胴部２５ａをフロントバルクヘッド１１の上側クロス部材１１ａに固定する２箇所と合わせて三角形を形成する３箇所で固定されていることから、前側ダクト２３ｂの走行時における振動は問題無く防止されるため、ダクト前端部２４ａを導風ダクト２６の上面に載置状態にしても何等問題はない。
【００３５】
吸気口２３ａは、前側ダクト２３ｂの組み付け状態で前方及び下方に開口するようにダクト前端部２４ａにより形成されている。また、導風ダクト２６には、吸気口２３ａの下方に開口する部分に対応する開口２６ｂが設けられている。これにより、フロントグリル５側から流入する空気を車両前方及び下方から前側ダクト２３ｂに取り入れることができる。
【００３６】
ダクト前端部２４ａは導風ダクト２６の上面に載置されているだけであるが、ダクト前端部２４ａを含む上側分割体２４は軟質材（本実施形態ではエラストマ）により形成されている。これにより、例えば導風ダクト２６の上面が多少の波形になっていたとしても、軟質材の変形による形状追従性があり、ダクト前端部２４ａを導風ダクト２６に載置するだけで、何等問題無く開口２６ｂの縁における密閉性が確保される。
【００３７】
例えば上側分割体２４も下側分割体２５と同じ硬質樹脂材で形成した場合には、フロントバルクヘッド１１及び導風ダクト２６の組み付け精度を要求せずに、長尺の前側ダクト２３ｂの先端となるダクト前端部２４ａを開口２６ｂに位置合わせするためにはダクト前端部２４ａをファスナやねじ等を用いて固定する必要が生じる。一方、エンジンルーム２の熱気をできるだけ取り入れないようにするべく吸気口２３ａ（ダクト前端部２４ａ）をフロントグリル５に近接させると、フロントグリル５の上方からの作業スペースを確保することが難しくなり、ダクト前端部２４ａの固定作業がし難くなる。それに対して本発明によれば、上側分割体２４を軟質材により形成したことから、その密着性によりダクト前端部２４ａを導風ダクト２６に載置するだけで固定状態が確保されるため、図示例のように３点でクリップ止めすることができ、吸気ダクト２３の固定構造を簡略化し得る。
【００３８】
図３及び図４に示されるように、下側分割体２５の胴部２５ａ近傍（上側クロス部材１１ａ（フロントバルクヘッド１１）の近傍）には、下側分割体２５の外周面に周方向に延在するように形成された周方向溝３２が設けられている。周方向溝３２は、凹状断面形状の下側延出部２５ｂの外周面に、その周方向の全長に亘って設けられており、吸気ダクト２３を構成する前側ダクト２３ｂの下側半周分に設けられている。
【００３９】
このようにして吸気ダクト２３が構成されることにより、前側ダクト２３ｂがフロントバルクヘッド１１より前方に延出され、ダクト前端部２４ａにより形成される吸気口２３ａがフロントバルクヘッド１１（ラジエータ１２）より前方においてフロントグリル５の直近の後方に開口する。これにより、エンジンルーム２内の熱気が吸入空気としてエンジン３に導入されることがなく、好適な吸気導入を行うことができる。
【００４０】
一方、フロントグリル５の近くまで吸気ダクト２３が延出されていると、車体１の前方軽衝突時の荷重Ｆが、図７の矢印に示されるようにフロントグリル５を介して吸気ダクト２３の前側ダクト２３ｂに加わる虞がある。
【００４１】
本発明によれば、上記荷重Ｆの入力に対して、柔らかな軟質材の上側分割体２４は自由に変形し、略抵抗無く圧潰状態になり得る。なお、ダクト前端部２４ａが載置される導風ダクト２６も軟質材であり、同様に略抵抗無く圧潰状態になり得る。それに対して、硬質樹脂材の下側分割体２５は、変形し難いが、上記したようにフロントバルクヘッド１１の上側クロス部材１１ａの近傍に周方向溝３２が設けられており、車両前方から加わる荷重Ｆにより下側分割体２５が図７の矢印Ａに示されるように下向きに曲がろうとすると、周方向溝３２の上部が破断し得る。すなわち、下側分割体２５における周方向溝３２を形成することにより薄肉になった部分が脆弱部となっている。周方向溝３２の破断は一度上部が破断すると下部まで一気に破断し、図７に示されるように下側分割体２５は、底部の周方向溝３２の部分を薄肉ヒンジ部として下向きに折れ曲がった状態になる。なお、周方向溝３２を設けた部分の破断強度は、３ｋｇ重の荷重Ｆの力で破断する程度であるとよい。
【００４２】
これにより、前方衝突時に、吸気ダクト２３の前側ダクト２３ｂに前方から荷重が加わった場合に、軟質樹脂材からなる柔らかな上側分割体２４は破壊するような変形にはならず、また硬質樹脂材からなる下側分割体２５は容易に折れ曲がることにより破片が生じるような変形が防止されるため、破片の飛散によりコンデンサ１３等を損傷してしまうことがない。したがって、修理箇所を低減でき、修理費用を抑制し得る。
【００４３】
上記実施形態では周方向溝３２における下側分割体２５の底部に設けられた部分が上側クロス部材１１ａの前端近傍に（車両前側の角に合わせるように）位置している。これにより、下側分割体２５は、周方向溝３２の部分が上側クロス部材１１ａの車両前側の角を支点として折れ曲がるようになり、より一層確実に折れ曲がり得る。
【００４４】
また、図２に示されるように、前側ダクト２３ｂは上側クロス部材１１ａから前方に向けて斜め下向きに曲成されている。これにより、荷重Ｆが図７の矢印に示されるように前方から加わった場合に、前側ダクト２３ｂは下向きに折れ曲がり易く、下側分割体２５における周方向溝３２による薄肉部分を確実に破断させることができる。
【００４５】
また、本発明による脆弱部としての溝は上記周方向溝３２に限られず、脆弱部の他の例を図８に示す。図８の例では、下側分割体２５の外周面に、その周方向に長い複数の長孔状溝３３が周方向に連なるように配設されている。これにより、上記図示例の周方向溝３２と同様に、長孔状溝３３を設けた部分が薄肉部分となり、前方衝突時に下側分割体２５における長孔状溝３３による薄肉部分が破断し、複数の長孔状溝３３が連なる周方向に切断され得るため、上記図示例と同様の作用効果を奏し得る。なお、図８の例では薄肉部分を底壁とする長孔状溝３３を示したが、下側分割体２５の周壁を貫通する長孔としてもよい。
【００４６】
なお、上記実施形態では、吸気ダクト２３の配管において、上側クロス部材１１ａ側と下方の吸気集合管２２側との間の引き回しを容易にするために蛇腹状部分を有する後側ダクト２３ｃを別部品として用いたが、前側ダクト２３ｂと後側ダクト２３ｃとを１本化して形成してもよい。
【００４７】
以上、本発明を、その好適実施形態の実施例について説明したが、当業者であれば容易に理解できるように、本発明はこのような実施例に限定されるものではなく、本発明の趣旨を逸脱しない範囲で適宜変更可能である。例えば、周方向溝３２を下側分割体２５の周方向全長に亘って設けたが、上側分割体２４との合わせ面側近傍部分に部分的に設けるものであってもよい。下側分割体２５の下向きへの折れ曲がりにより下側分割体２５の上部に大きな張力が作用するため、その張力により下側分割体２５の上部に設けた周方向溝部分が破断し、それをトリガーとして下側分割体２５の下部まで破断し得る。また、前側ダクト２３ｂを上下に分割した上側分割体２４と下側分割体２５とにより構成したが、分割方向は上下方向に限られず、左右方向であってもよい。その場合でも、左右いずれかの方向に折れ曲がることにより、上記実施形態と同様の作用効果を奏し得る。また、上記実施形態に示した構成要素は必ずしも全てが必須なものではなく、本発明の趣旨を逸脱しない限りにおいて適宜取捨選択することが可能である。
【符号の説明】
【００４８】
１  車体
２  エンジンルーム
３  エンジン（内燃機関）
１１  フロントバルクヘッド
１１ａ  上側クロス部材（フロントバルクヘッド）
２３  吸気ダクト
２３ｂ  前側ダクト
２４  上側分割体
２４ａ  ダクト前端部
２５  下側分割体
２６  導風ダクト（フロントグリルに固定された部材）
３２  周方向溝（脆弱部）
３３  長孔状溝（脆弱部）
【図１】
2015200235.tif 000003
【図２】
2015200235.tif 000004
【図３】
2015200235.tif 000005
【図４】
2015200235.tif 000006
【図５】
2015200235.tif 000007
【図６】
2015200235.tif 000008
【図７】
2015200235.tif 000009
【図８】
2015200235.tif 000010